(57)【特許請求の範囲】
【請求項１】
入出孔を介して紙葉状の媒体が投入され又は取り出され、前記入出孔と対向する面である底面に対し前記媒体における紙面を交差させた姿勢で当該媒体を収容空間内に収容する収容部と、
前記収容部の前記入出孔を開放又は閉塞する開閉部と、
前記収容空間の外側に設けられ、前記媒体により遮断される検知光を発光又は受光する第１光学部と、
前記検知光を受光又は発光する第２光学部と、
前記開閉部に設けられ、前記第１光学部又は前記第２光学部のうち前記検知光を発光する発光側光学部から入射される前記検知光を、前記第１光学部又は前記第２光学部のうち前記検知光を受光する受光側光学部へ向けて導光する導光部と
を具えることを特徴とする媒体収容装置。
【請求項２】
前記導光部は、前記開閉部に対し、当該開閉部が前記入出孔を閉塞しているときに、前記第１光学部と前記第２光学部との間で前記検知光を導光する位置に設けられている
ことを特徴とする請求項１に記載の媒体収容装置。
【請求項３】
前記導光部は、前記開閉部に対し、当該開閉部が前記入出孔を開放しているときに、前記第１光学部と前記第２光学部との間で前記検知光を導光する位置に設けられている
ことを特徴とする請求項１に記載の媒体収容装置。
【請求項４】
前記導光部は、前記開閉部に対し、当該開閉部が前記入出孔を閉塞しているときに前記第１光学部と前記第２光学部との間で前記検知光を導光する位置と、前記開閉部が前記入出孔を開放しているときに前記第１光学部と前記第２光学部との間で前記検知光を導光する位置との双方に、それぞれ設けられている
ことを特徴とする請求項１に記載の媒体収容装置。
【請求項５】
前記収容部と前記第１光学部との間に配置され、前記検知光を通過させる検知光通過部
をさらに具えることを特徴とする請求項１に記載の媒体収容装置。
【請求項６】
前記底面には、前記媒体を支持すると共に前記媒体と異なる異物を通過させる異物通過孔が設けられ、
前記検知光通過部は、前記異物通過孔を避けた位置に配置された
ことを特徴とする請求項５に記載の媒体収容装置。
【請求項７】
前記検知光通過部の前記収容空間に面する収容面は、前記底面よりも低い位置に設けられている
ことを特徴とする請求項５に記載の媒体収容装置。
【請求項８】
前記収容部の一側面を形成すると共に、前記底面に沿って移動する移動側壁部
をさらに具え、
前記移動側壁部は、前記検知光通過部の前記収容空間に面する収容面に対して移動時に対向する部分に、当該収容面を清掃する清掃部材を有する
ことを特徴とする請求項５に記載の媒体収容装置。
【請求項９】
前記開閉部は、前記導光部よりも前記収容空間の内側へ突出し前記媒体を案内する媒体案内部を有する
ことを特徴とする請求項１に記載の媒体収容装置。
【請求項１０】
前記開閉部の外側を開放又は閉塞する第２開閉部
をさらに具え、
前記導光部は、前記開閉部に代えて前記第２開閉部に設けられた
ことを特徴とする請求項１に記載の媒体収容装置。
【請求項１１】
利用者との間で紙葉状の媒体を取引する媒体取引装置であって、
入出孔を介して前記媒体が投入され又は取り出され、前記入出孔と対向する面である底面に対し前記媒体における紙面を交差させた姿勢で当該媒体を収容空間内に収容する収容部と、
前記収容部の前記入出孔を開放又は閉塞する開閉部と、
前記収容空間の外側に設けられ、前記媒体により遮断される検知光を発光又は受光する第１光学部と、
前記検知光を受光又は発光する第２光学部と、
前記開閉部に設けられ、前記第１光学部又は前記第２光学部のうち前記検知光を発光する発光側光学部から入射される前記検知光を、前記第１光学部又は前記第２光学部のうち前記検知光を受光する受光側光学部へ向けて導光する導光部と、
前記受光側光学部から前記検知光の受光結果を取得し、当該受光結果に基づき前記取引に関する制御を行う制御部と
を具えることを特徴とする媒体取引装置。
【請求項１２】
前記制御部は、前記利用者から前記媒体を受け取る受取取引において、前記開閉部を開放された状態から閉塞させたときに前記検知光が遮断されていた場合、前記開閉部を開放させるよう制御する
ことを特徴とする請求項１１に記載の媒体取引装置。
【請求項１３】
取出検知光を発光する取出発光部及び当該取出検知光を受光する取出受光部を有し、前記収容部の上側であって、前記収容部に前記姿勢で収容された前記媒体により遮断されない箇所に前記取出検知光を通過させる取出検知部
をさらに具え、
前記制御部は、前記検知光の受光結果に加えて、前記取出検知部から前記取出検知光の受光結果を取得し、前記利用者から前記媒体を受け取る受取取引において、前記開閉部を開放された状態から閉塞させたときに前記検知光が遮断されていた場合、前記開閉部を開放させた後、前記取出検知光が１回以上遮断されたことを検知した後に当該開閉部を閉塞させるよう制御する
ことを特徴とする請求項１１に記載の媒体取引装置。
【発明の詳細な説明】
【技術分野】
【０００１】
本発明は媒体収容装置及び媒体取引装置に関し、例えば利用者に紙幣のような紙葉状の媒体を投入させて所望の取引を行う現金自動預払機（ＡＴＭ：Automatic Teller Machine）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになっている。
【０００３】
現金自動預払機としては、例えば顧客との間で紙幣の授受を行う入出金部と、紙幣を搬送する搬送部と、投入された紙幣の金種及び真偽を認識する認識部と、投入された紙幣を一時的に保留する一時保留部と、金種ごとに紙幣を収納する複数の紙幣収納庫と、再使用すべきでない紙幣を収納するリジェクト庫とを有するものが提案されている。また現金自動預払機は、制御部により全体の処理を制御している。
【０００４】
このうち入出金部としては、例えば紙幣を集積した状態で収容する収容空間と、この収容空間を開放又は閉塞するシャッタと、収容空間内の紙幣を１枚ずつに分離しながら装置内部へ取り込む分離機構とを有するものがある。
【０００５】
この現金自動預払機は、入金取引において、入出金部のシャッタを開放して利用者に紙幣を収容空間へ投入させ、シャッタを閉塞してから分離機構により収容空間内の紙幣を１枚ずつに分離して、搬送部により順次搬送する。続いて現金自動預払機は、認識部により各紙幣の金種等を認識し、正常紙幣と認識された紙幣を一時保留部へ収納する一方、外国の紙幣のように取引すべきでないと認識された紙幣を入出金部へ戻して利用者に返却する。さらに現金自動預払機は、一時保留部に収納した紙幣の合計金額を利用者に提示しながら入金取引の継続を確認し、継続が指示されると、一時保留部に収納している紙幣を認識部により再認識し、その金種に応じて各紙幣収納庫に収納すると共に、損傷の程度が大きいと認識された紙幣をリジェクト庫に収納する。
【０００６】
また入出金部は、収容空間内に紙幣が収納されているか否かを検知するための検知部を有している。この検知部は、例えば所定の検知光を発光する発光素子と、この検知光を受光する受光素子との組み合わせにより構成されており、検知光が収容空間内を横切るように、発光素子及び受光素子がそれぞれ配置されている（例えば特許文献１参照）。
【０００７】
このため制御部は、例えば入金取引において利用者に紙幣を入出金部に投入させる段階で、検知部により紙幣を検知しなかった場合、利用者により紙幣が投入されなかったものと認識し、この入金取引を終了して次の取引処理を開始することができる。
【先行技術文献】
【特許文献】
【０００８】
【特許文献１】特開２０１２−２３８２４７号公報（第１図）
【発明の概要】
【発明が解決しようとする課題】
【０００９】
ところで、かかる構成の入出金部では、分離機構により正しく分離して取り込み得るような紙幣の姿勢（以下これを正常姿勢と呼ぶ）を予め規定している。この正常姿勢は、例えば紙幣の長手方向を左右方向に向け、短手方向を上下方向に向けて、紙面を前後方向に向けた姿勢となっている。さらに入出金部は、例えば収容空間における前後方向の長さを比較的短く、特に紙幣の短辺よりも短くすることで、正常姿勢以外の姿勢で紙幣が投入されることを困難にし、正常姿勢による投入を促すことができる。
【００１０】
また、入出金部の検知部では、紙幣が検知光の光路と交差して当該検知光を遮断した場合に、受光素子が当該検知光を受光できなくなることにより、１枚以上の紙幣が存在することを検知する。一般に紙幣は厚さが極めて小さく（例えば０．１ｍｍ等）、１枚ないし数枚程度の紙幣の厚さにより検知光の光路を完全に遮ることが難しい。このため入出金部では、正常姿勢で収容された紙幣の紙面に対し検知光の光路を交差させるように、例えば光路を前後方向に沿わせるように、検知部を配置している。
【００１１】
しかしながら入出金部では、不慣れな利用者が、紙幣を正常姿勢と異なる姿勢により、例えば長辺を前後に向けると共に紙面をほぼ水平に沿わせた紙幣（以下これを水平置き紙幣と呼ぶ）として、収容空間の上方に載せるように投入してしまう恐れがある。このような場合、入出金部の検知部は、検知光の光路が前後方向に沿うように配置されているため、紙幣が投入されたこと、及び当該紙幣が水平置き紙幣であることを検知できない。
【００１２】
このため現金自動預払機では、たとえば入金取引において利用者により水平置き紙幣の状態で投入された場合、この水平置き紙幣を検知できないため、紙幣が投入されなかったものと誤った認識をしてしまう。これにより現金自動預払機は、収容空間に投入された紙幣を返却することなく、入金取引を終了してしまう場合がある、という問題があった。
【００１３】
本発明は以上の点を考慮してなされたもので、媒体の検知精度を高め得る媒体収容装置及び媒体取引装置を提案しようとするものである。
【課題を解決するための手段】
【００１４】
かかる課題を解決するため本発明の媒体収容装置においては、入出孔を介して紙葉状の媒体が投入され又は取り出され、入出孔と対向する面である底面に対し媒体における紙面を交差させた姿勢で当該媒体を収容空間内に収容する収容部と、収容部の入出孔を開放又は閉塞する開閉部と、収容空間の外側に設けられ、媒体により遮断される検知光を発光又は受光する第１光学部と、検知光を受光又は発光する第２光学部と、開閉部に設けられ、第１光学部又は第２光学部のうち検知光を発光する発光側光学部から入射される検知光を、第１光学部又は第２光学部のうち検知光を受光する受光側光学部へ向けて導光する導光部とを設けるようにした。
【００１５】
また本発明の媒体取引装置においては、利用者との間で紙葉状の媒体を取引する媒体取引装置であって、入出孔を介して媒体が投入され又は取り出され、入出孔と対向する面である底面に対し媒体における紙面を交差させた姿勢で当該媒体を収容空間内に収容する収容部と、収容部の入出孔を開放又は閉塞する開閉部と、収容空間の外側に設けられ、媒体により遮断される検知光を発光又は受光する第１光学部と、検知光を受光又は発光する第２光学部と、開閉部に設けられ、第１光学部又は第２光学部のうち検知光を発光する発光側光学部から入射される検知光を、第１光学部又は第２光学部のうち検知光を受光する受光側光学部へ向けて導光する導光部と、受光側光学部から検知光の受光結果を取得し、当該受光結果に基づき取引に関する制御を行う制御部とを設けるようにした。
【００１６】
これにより、収容空間内において入出孔と底面とを結ぶ方向に沿って検知光を進行させることができるので、紙面がこの方向と交差する姿勢の媒体がある場合に、この媒体により検知光を遮断させることができ、この媒体の存在を精度良く検知することができる。
【発明の効果】
【００１７】
本発明によれば、媒体の検知精度を高め得る媒体収容装置及び媒体取引装置を実現できる。
【図面の簡単な説明】
【００１８】
【図１】現金自動預払機の構成を示す略線的斜視図である。
【図２】紙幣入出金機の構成を示す略線図である。
【図３】第１の実施の形態による入出金部の構成を示す略線図である。
【図４】第１の実施の形態による入出金部の構成を示す略線図である。
【図５】内側シャッタの構成を示す略線的斜視図である。
【図６】シャッタの開放時における検知光の光路を示す略線図である。
【図７】底板及び光通路の構成を示す略線図である。
【図８】第２の実施の形態による入出金部の構成を示す略線図である。
【図９】第２の実施の形態によるビルプレスの構成を示す略線図である。
【図１０】第３の実施の形態による入出金部の構成を示す略線図である。
【図１１】第４の実施の形態による入出金部の構成を示す略線図である。
【図１２】他の実施の形態による入出金部の構成を示す略線図である。
【図１３】他の実施の形態によるプリズムの構成を示す略線的斜視図である。
【図１４】他の実施の形態による入出金部の構成を示す略線図である。
【図１５】他の実施の形態による入出金部の構成を示す略線図である。
【発明を実施するための形態】
【００１９】
以下、発明を実施するための形態（以下実施の形態とする）について、図面を用いて説明する。
【００２０】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００２１】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００２２】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、利用者が入金する紙幣が投入されると共に、利用者へ出金する紙幣が排出される部分である。この入出金口５は、外側シャッタ５Ａを前後方向へ移動させることにより、開口部分を開放し、又は閉塞する。
【００２３】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２４】
筐体２内には、現金自動預払機１全体を統括制御する主制御部９や、紙幣に関する種々の処理を行う紙幣入出金機１０等が設けられている。
【００２５】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２６】
紙幣入出金機１０は、図２に側面図を示すように、その内部に紙幣制御部１１、入出金部１２、搬送部１３、鑑別部１４、一時保留部１５、紙幣収納庫１６及びリジェクト庫１７等が設けられている。
【００２７】
紙幣制御部１１は、主制御部９と連携しながら、紙幣入出金機１０を統括的に制御する。紙幣制御部１１は、主制御部９と同様、図示しないＣＰＵを中心に構成されており、所定のプログラムを実行することにより、入金処理や出金処理等、種々の処理を行う。また紙幣制御部１１は、内部にＲＡＭ及びフラッシュメモリ等でなる記憶部を有している。
【００２８】
入出金部１２（図２）は、紙幣を収容する収容空間１２Ｓや、この収容空間を閉塞又は開放するシャッタ、並びに紙幣の分離動作を行う分離部及び集積動作を行う集積部等を有している。この入出金部１２は、利用者から収容空間１２Ｓに投入された紙幣を分離部により１枚ずつに分離して搬送部１３に引き渡し、また搬送部１３から搬送されてくる紙幣を集積部により収容空間内に集積して利用者に受け取らせる（詳しくは後述する）。
【００２９】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００３０】
鑑別部１４は、内部に光学センサ、イメージセンサや磁気センサ等の各種センサを有している。鑑別部１４は、この各種センサから得られた検知結果を基に、紙幣の金種を判別し、また正当な紙幣（いわゆる正券）又は偽造された紙幣（いわゆる偽造券若しくは偽券）の何れであるかを判別し、さらに損傷の程度等を判別する。鑑別部１４は、これらの判別処理の結果を紙幣制御部１１へ通知する。これに応じて紙幣制御部１１は、各紙幣の搬送先を決定する。
【００３１】
一時保留部１５は、搬送部１３から搬送されてくる紙幣を内部に収納することにより一時的に保留し、またこの紙幣を順次繰り出して搬送部１３に受け渡す。
【００３２】
紙幣収納庫１６は、内部に多数の紙幣を集積して収納する。この紙幣収納庫１６は、例えば入金取引において、鑑別部１４の鑑別結果を基に紙幣制御部１１によって損傷の程度が小さく再利用可能と判別された紙幣が、金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３３】
リジェクト庫１７は、鑑別部１４において損傷の程度が大きく再利用すべきでないと鑑別された紙幣（いわゆるリジェクト紙幣）を収納する。
【００３４】
［１−２．入出金部の構成］
次に、入出金部１２の構成について説明する。図３に模式的な側面図（一部は断面図）を示すと共に、図４に平面図を示すように、入出金部１２は、紙幣入出金機１０（図２）が筐体２（図１）内に収納された場合、入出金口５のほぼ真下に位置する。この入出金部１２は、箱状の筐体３０（図３）内に、複数の部品により囲まれた収容空間１２Ｓを形成している。
【００３５】
筐体３０は、全体として中空の直方体状に形成されており、その上面における前側の約半分の範囲であって、収容空間１２Ｓの上方となる箇所に、比較的大きな長方形状の入出孔３０Ｈが設けられている。入出孔３０Ｈにおける前後方向及び左右方向の長さは、収容空間１２Ｓにおける前後方向及び左右方向の長さよりもそれぞれ大きくなっている。因みに入出孔３０Ｈは、上側に位置する入出金口５における開口部のほぼ真下に位置しており、またこの開口部とほぼ同じ大きさとなっている。因みに入出金口５は、図３に実線で示した位置においてこの開口部を閉塞する一方、後方の破線で示した位置まで移動されることによりこの開口部を開放する。
【００３６】
収容空間１２Ｓは、紙幣の長辺を左右方向に沿わせ、紙面を前後方向に向けた姿勢、すなわち底面に対し紙面を交差させた正常姿勢として、例えば最大で２００枚まで集積された状態で、収容することが想定されている。このため収容空間１２Ｓにおける左右方向の長さは、取り扱う紙幣のうち最も長い長辺よりも大きい。また収容空間１２Ｓにおける上下方向の長さは、短手方向の長さが最も長い紙幣よりも大きい。さらに収容空間１２Ｓの下側部分における前後方向の長さは、紙幣を２００枚重ねたときの厚さよりも大きいものの、取り扱う紙幣のうち最も短い短辺よりも短い。
【００３７】
収容空間１２Ｓは、底板３１、プールガイド３２及びビルプレス３３並びに側板３４及び３５により、前後左右及び下側がそれぞれ囲まれており、上側が開放された空間となっている。以下では、底板３１、プールガイド３２及びビルプレス３３並びに側板３４及び３５をまとめて収容部とも呼ぶ。
【００３８】
底板３１は、上下方向に薄い板状でなり、その上面により収容空間１２Ｓの底面、すなわち入出孔３０Ｈと対向する面を形成している。また底板３１は、後側よりも前側の方が下方に位置するよう、水平方向に対して傾斜している。さらに底板３１は、収容空間１２Ｓの範囲よりも前後方向にそれぞれ延長されている。
【００３９】
また底板３１（図４）には、収容空間１２Ｓの底面を形成する範囲に、上下に貫通する複数の孔部３１Ｈが穿設されている。異物通過孔としての孔部３１Ｈの下側には、異物収容器３７（図３）が配置されている。このため入出金部１２では、利用者により収容空間１２Ｓ内に紙幣以外の異物、例えば硬貨やクリップ等が誤って投入されたとしても、これらを孔部３１Ｈにより下方へ落下させることで、後述する紙幣の分離動作等に支障を来さないようになっている。この孔部３１Ｈから下方へ落下した異物は、異物収容器３７内に収容される。
【００４０】
プールガイド３２は、全体として左右方向に長く前後方向に短い直方体状に形成されており、その後面により収容空間１２Ｓの前側を仕切っている。またプールガイド３２の後面における上端近傍は、部分的に斜めに切り落とされたような形状となっている。このプールガイド３２は、図示しないアクチュエータにより、底板３１に沿って前後方向へ移動される。例えばプールガイド３２は、利用者に紙幣を取り出させる場合や紙幣を投入させる場合、図３に示した位置に移動される。以下、この位置を接客位置と呼ぶ。
【００４１】
ビルプレス３３は、全体として左右方向に長く前後方向に短い直方体状に形成されており、その前面により収容空間１２Ｓの後側を仕切っている。またビルプレス３３の前面における上端近傍は、プールガイド３２の後面と同様、部分的に斜めに切り落とされたような形状となっている。このため収容空間１２Ｓは、下側部分よりも上側部分が広げられている。このビルプレス３３は、プールガイド３２と同様、図示しないアクチュエータにより、底板３１に沿って前後方向へ移動される。例えばビルプレス３３は、利用者に紙幣を取り出させる場合や紙幣を投入させる場合、図３に示した位置に移動される。以下、この位置を接客位置と呼ぶ。因みにプールガイド３２及びビルプレス３３は、後面及び前面の上端近傍がそれぞれ斜めに切り落とされたような形状となっていることにより、それぞれ接客位置にある状態で、利用者に対し、収容空間１２Ｓ内から紙幣を容易に取り出させることができる。
【００４２】
側板３４及び３５（図４）は、それぞれ左右方向に薄い板状に形成されており、収容空間１２Ｓの左側面及び右側面を形成している。この側板３４及び３５は、筐体３０に固定されている。
【００４３】
収容空間１２Ｓの上方には、開閉可能な内側シャッタ３６が設けられている。内側シャッタ３６は、全体として上下方向に薄い板状に構成されており、前後方向及び左右方向の長さが筐体３０の入出孔３０Ｈとほぼ同等となっている。この内側シャッタ３６は、図５に斜視図を示すように、上下方向に薄い板状の基部３６Ａを中心に構成されている。基部３６Ａは、左右方向から見て上に凸となるように、緩やかに湾曲されている。基部３６Ａの上面及び下面には、それぞれ複数のリブ３６Ｂ及び３６Ｃが立設されている。リブ３６Ｂ及び３６Ｃは、何れも左右方向に薄く前後方向に長い薄板状に形成されている。特にリブ３６Ｃは、それぞれの下端を左右方向に繋いだ仮想的な曲面により、収容空間１２Ｓの上面を形成している。
【００４４】
また内側シャッタ３６は、紙幣制御部１１の制御に基づき、図示しないアクチュエータやスライド機構等により、前後方向に沿って緩やかに湾曲するように移動される。具体的に内側シャッタ３６は、前方へ移動された場合、図３に実線で示したように、筐体３０の入出孔３０Ｈを閉塞し、収容空間１２Ｓを外部空間から隔離する。また内側シャッタ３６は、後方へ移動された場合、図３に破線で示したように、筐体３０の入出孔３０Ｈを開放し、収容空間１２Ｓを外部空間と連通させる。
【００４５】
底板３１（図３）の前下方、すなわち異物収容器３７の前方には、分離部３８が設けられている。分離部３８は、複数のローラや搬送ガイド等により構成されている。入出金部１２は、収容空間１２Ｓ内の紙幣を分離する場合、プールガイド３２及びビルプレス３３を前方へ移動させて紙幣を所定のローラに当接させ、分離部３８の各ローラを適宜回転させる。これにより分離部３８は、収容空間１２Ｓ内の紙幣を１枚ずつに分離しながら、搬送ガイドに沿って下方へ繰り出し、搬送部１３（図２）へ順次引き渡す。
【００４６】
底板３１の後下方、すなわち異物収容器３７の後方には、集積部３９が設けられている。集積部３９は、複数のローラや搬送ガイド等により構成されている。入出金部１２は、収容空間１２Ｓ内に紙幣を集積する場合、ビルプレス３３及びプールガイド３２を後方へ移動させ、各ローラを適宜回転させる。搬送部１３（図２）から紙幣が搬送されてくると、集積部３９は、搬送ガイドに沿って紙幣を収容空間１２Ｓへ向けて搬送し、当該紙幣をローラ同士の間に挟持させて、収容空間１２Ｓ内へ放出する。このとき紙幣は、上方に位置する内側シャッタ３６の下面に当接した後、底板３１上に落下し、プールガイド３２の後面又は既に放出された他の紙幣に立てかけられるようにして順次集積されていく。
【００４７】
また入出金部１２（図３）には、各部における紙幣の有無を検知するために、複数の検知部が設けられている。具体的に入出金部１２には、収容空間１２Ｓ内における紙幣の有無を検知する検知部４１及び４２と、利用者が収容空間１２Ｓ内にアクセスしたか否かを検知するための検知部４３と、外側シャッタ５Ａ及び内側シャッタ３６の間における紙幣の有無を検知する検知部４４及び４５が設けられている。
【００４８】
検知部４１は、最も前側に移動したプールガイド３２よりも前側に設けられた発光素子と、最も後側に移動したビルプレス３３よりも後側に配置された受光素子とにより構成されている。すなわち検知光の光路は、収容空間１２Ｓ内を前後方向に横切ることになる。検知部４１は、発光素子から後方へ向けて検知光を発光し、受光素子によりこの検知光を受光すると共に、当該検知光を受光したか否かを表す検知信号を生成して紙幣制御部１１へ送信する。
【００４９】
検知部４２は、検知部４１よりも上方に配置されており、検知部４１と同様に構成されている。因みに入出金部１２には、複数の検知部４１及び複数の検知部４２が、それぞれ左右方向に離散した箇所に配置されている。またプールガイド３２及びビルプレス３３には、各検知光が通過する箇所に、各検知光を通過させるための通過孔がそれぞれ設けられている。
【００５０】
紙幣制御部１１は、検知部４１及び４２からそれぞれ受信した検知信号を基に、収容空間１２Ｓ内における紙幣の有無を判断する。具体的に紙幣制御部１１は、全てにおいて検知光を受光した場合には、収容空間１２Ｓ内に紙幣が存在しないと判断し、１箇所以上で検知光を受光しなかった場合には、収容空間１２Ｓ内に１枚以上の紙幣が存在すると判断する。
【００５１】
取出検知部としての検知部４３は、プールガイド３２及びビルプレス３３の上端近傍に配置されており、検知部４１と同様に発光素子及び受光素子により構成されている。因みに入出金部１２には、複数の検知部４３が左右方向に離散した箇所に配置されている。また検知部４３は、内側シャッタ３６が閉塞状態にある場合、基部３６Ａの下面に設けられたリブ３６Ｃ同士の間を検知光が通過するよう、その配置が調整されている。
【００５２】
紙幣制御部１１は、利用者に収容空間１２Ｓへ紙幣を投入させる場合に、検知部４３から受信した検知信号を基に、当該収容空間１２Ｓからはみ出すこと無く紙幣が収容されているか否かを判断する。具体的に紙幣制御部１１は、検知部４３の受光素子が発光素子の検知光を受光できなかった場合、収容空間１２Ｓから紙幣がはみ出していると判断し、外側シャッタ５Ａ及び内側シャッタ３６を開放したまま、操作表示部６に所定のメッセージを表示する等して、利用者に紙幣の再投入を促す。一方、紙幣制御部１１は、検知光を受光した場合、収容空間１２Ｓからはみ出すこと無く紙幣が正しく収容されていると判断し、外側シャッタ５Ａ及び内側シャッタ３６を閉塞して、以降の処理を継続する。
【００５３】
また紙幣制御部１１は、例えば利用者に収容空間１２Ｓから紙幣を取り出させる場合等に、検知部４３から受信した検知信号を基に、利用者による収容空間１２Ｓへのアクセスの有無、すなわち利用者の手や指先等を収容空間１２Ｓ内へ差し入れることによる紙幣の投入又は取出が行われたか否かを判断することもできる。具体的に紙幣制御部１１は、一定の期間において、全て検知光を受光し続けた場合には、収容空間１２Ｓ内に対するアクセスが無かったと判断し、この期間内に１箇所以上で所定時間以上検知光を受光しなかった場合には、収容空間１２Ｓ内に対するアクセスがあったと判断する。
【００５４】
検知部４４及び４５は、外側シャッタ５Ａと内側シャッタ３６との間に配置されており、検知部４１と同様に発光素子及び受光素子により構成されている。紙幣制御部１１は、検知部４４及び４５からそれぞれ受信した検知信号を基に、外側シャッタ５Ａと内側シャッタ３６との間における紙幣の有無を判断する。具体的に紙幣制御部１１は、双方で検知光を受光した場合には、外側シャッタ５Ａと内側シャッタ３６との間に紙幣が存在しないと判断し、少なくとも一方で検知光を受光しなかった場合には、外側シャッタ５Ａと内側シャッタ３６との間に紙幣が存在すると判断する。
【００５５】
かかる構成に加えて入出金部１２には、紙幣の有無を検知する検知部５０（図３）が設けられている。検知部５０は、発光素子５１、光通路５２、プリズム５３、光通路５４及び受光素子５５により構成されている。
【００５６】
発光素子５１は、内側シャッタ３６が閉塞状態にあるときの前端よりも前側に位置している。この発光素子５１は、検知部４１の発光素子と同様に構成されており、後方へ向けて検知光を発光する。光通路５２は、検知光を透過する樹脂材料により構成され、前後方向に細長い角柱状に形成されている。この光通路５２は、発光素子５１と内側シャッタ３６との間に設けられており、前面から入射された検知光をそのまま後方へ進行させて後面から出射させる。
【００５７】
導光部としてのプリズム５３は、内側シャッタ３６における基部３６Ａ（図５）の下面に取り付けられており、全体として前後方向に細長い角柱状に形成されている。プリズム５３の前面は、前後方向に対しほぼ垂直な平面となっており、検知光を透過する。一方、プリズム５３の後面５３Ｒは、上端よりも下端が後方に位置するように傾斜した平面となっており、検知光を反射する反射面を形成している。
【００５８】
かかる構成によりプリズム５３は、内側シャッタ３６が閉塞状態にあれば、前面から入射される検知光を後方へ進行させ、後面５３Ｒにおいて反射させて、下面の後端近傍から下斜め後方へ向けて当該検知光を進行させる。以下、プリズム５３から出射された検知光を検知光Ｌ１とも呼ぶ。この検知光Ｌ１は、収容空間１２Ｓ内をほぼ上下方向に沿って、すなわち入出孔３０Ｈから収容空間１２Ｓの底面へ向かう方向に沿って、進行することになる。一方、プリズム５３は、図３と対応する図６に示すように、内側シャッタ３６が開放状態であれば、光通路５２の後面から出射された検知光が前面に入射されないため、収容空間１２Ｓ内へ検知光Ｌ１を進行させることはできない。
【００５９】
検知光通過部としての光通路５４は、光通路５２と同様、検知光を透過する樹脂材料により構成されており、おおむね上下方向に細長い角柱状に形成されている。この光通路５４は、異物収容器３７の後側であって、且つ接客位置にあるビルプレス３３の前面により上面５４Ｔが遮蔽されない箇所に取り付けられている。また光通路５４の収容面としての上面５４Ｔは、底板３１に穿設された孔部３１Ｈ２に挿通されており、図７に示すように、上面５４Ｔが底板３１の上面よりも僅かに低くなるように取り付けられている。この光通路５４は、上面５４Ｔから入射された検知光を下方へ進行させ、下面から下方へ向けて出射させる。
【００６０】
受光素子５５は、光通路５４の下側であって、その下面と対向する位置に設けられている。この受光素子５５は、検知部４１等の受光素子と同様、検知光を受光し、当該検知光を受光したか否かを表す検知信号を生成して紙幣制御部１１へ送信する。
【００６１】
紙幣制御部１１は、受光素子５５から受信した検知信号を基に、検知光Ｌ１の光路上における紙幣の有無を判断する。具体的に紙幣制御部１１は、受光素子５５において検知光Ｌ１を受光した場合には、当該検知光Ｌ１の光路上に紙幣が存在しないと判断し、当該検知光Ｌ１を受光しなかった場合には、当該検知光Ｌ１の光路上に１枚以上の紙幣が存在すると判断する。
【００６２】
これにより紙幣制御部１１は、例えば図３に示した紙幣ＢＬ１のように、プールガイド３２における上側の傾斜部分とビルプレス３３における上側の傾斜部分との間に挟まるように、紙面をほぼ水平に沿わせた紙幣（以下これを水平置き紙幣と呼ぶ）についても、検知光Ｌ１の受光結果を基にその有無を正しく判断できる。
【００６３】
ところで検知部５０を構成する各部品は、左右方向に関し、筐体３０の入出孔３０Ｈにおける中心に相当する位置に配置されている。ここで、例えば光通路５４の左側面から右の側板３５までの長さＷ１（図４）は、紙幣入出金機１０において取り扱う紙幣のうち最も短い長辺の長さよりも短くなっている。
【００６４】
また内側シャッタ３６の閉塞時におけるプリズム５３の後面５３Ｒ（図３）は、前後方向に関し、筐体３０の入出孔３０Ｈにおけるほぼ中央に位置している。ここで、入出孔３０Ｈの前端から後面５３Ｒの後端までの距離Ｄ１及び入出孔３０Ｈの後端から後面５３Ｒの前端までの距離Ｄ２は、何れも紙幣入出金機１０において取り扱う紙幣のうち最も短い短辺の長さよりも短くなっている。
【００６５】
このため入出金部１２は、紙幣入出金機１０において取り扱う最も小さい紙幣が水平置き紙幣ＢＬ１となり、入出孔３０Ｈにおける前後左右の何れかの側辺に当接するように偏っていたとしても、その紙面により検知光Ｌ１を遮らせることができる。
【００６６】
［１−３．水平置き紙幣の取出の判断］
ところで入出金部１２では、利用者による収容空間１２Ｓに対する紙幣の投入や取出を妨げないようにすると共に、検知光Ｌ１を収容空間１２Ｓ内でほぼ上下方向に沿って進行させる観点から、内側シャッタ３６の下側にプリズム５３を取り付けている。
【００６７】
このため紙幣制御部１１は、入出金部１２において内側シャッタ３６が閉塞されている状態においてのみ、検知光Ｌ１による水平置き紙幣の有無を判断することができる。換言すれば、紙幣制御部１１は、内側シャッタ３６が開放状態にあるときには、検知光Ｌ１による水平置き紙幣の有無を判断することができない。
【００６８】
例えば紙幣制御部１１は、入金取引において、入出金口５の外側シャッタ５Ａ及び入出金部１２の内側シャッタ３６を開放して利用者に紙幣を投入させ、外側シャッタ５Ａ及び内側シャッタ３６を閉塞する。
【００６９】
このとき紙幣制御部１１は、まず検知部４１及び４２により紙幣を検知したか否かを判断する。紙幣制御部１１は、紙幣を検知できた場合、紙面をほぼ前後に向け長辺を左右方向に沿わせた正常姿勢で収容空間１２Ｓ内に投入された紙幣が存在すると判断する。このとき紙幣制御部１１は、検知部４３から受信した検知信号を基に、当該収容空間１２Ｓからはみ出すこと無く紙幣が収容されているか否かについても判断し、はみ出していると判断した場合には利用者に再投入を促す。
【００７０】
一方、紙幣制御部１１は、検知部４１及び４２により紙幣を検知できなかった場合には、収容空間１２Ｓ内に正常姿勢の紙幣が存在しないと判断する。この場合、紙幣制御部１１は、さらに検知部５０により紙幣を検知したか否かを判断する。紙幣制御部１１は、紙幣を検知できた場合、水平置き紙幣ＢＬ１が存在すると判断する。一方、紙幣制御部１１は、紙幣を検知できなかった場合には、水平置き紙幣ＢＬ１が存在しないと判断する。
【００７１】
ここで紙幣制御部１１は、水平置き紙幣ＢＬ１が存在すると判断した場合、外側シャッタ５Ａ及び内側シャッタ３６を開放することにより、利用者に水平置き紙幣ＢＬ１を取り出させ、或いは収容空間１２Ｓ内へ正常姿勢で再投入させる。
【００７２】
このとき紙幣制御部１１は、内側シャッタ３６を開放しているため、水平置き紙幣ＢＬ１が利用者により取り出されたか否かを、検知光Ｌ１の受光結果を利用して判断することができない。そこで紙幣制御部１１は、内側シャッタ３６を開放した時点から検知部４３の検知結果を監視し、検知光が一時的に遮られた後に再び検知した場合に、利用者の手により水平置き紙幣ＢＬ１が取り出され、或いは収容空間１２Ｓ内に正常姿勢で再投入されたものと判断する。
【００７３】
このように紙幣制御部１１は、内側シャッタ３６が開放された状態において、検知部５０が直接的に水平置き紙幣ＢＬ１の有無を検知するのでは無く、検知部４３の検知結果を利用することにより、水平置き紙幣ＢＬ１が利用者により取り出されたか否かを、いわば間接的に判断するようになっている。
【００７４】
［１−４．動作及び効果］
以上の構成において、第１の実施の形態による現金自動預払機１の紙幣入出金機１０は、入出金部１２に検知部５０を設けることにより、検知光Ｌ１に収容空間１２Ｓ内をほぼ上下方向に沿って進行させるようにした。
【００７５】
これにより入出金部１２は、利用者により誤って紙幣の紙面を水平に向けて投入され、水平置き紙幣ＢＬ１が存在したとしても、この水平置き紙幣ＢＬ１により検知光Ｌ１を遮断させることができる。このため紙幣制御部１１は、検知部５０の検知結果を利用することにより、水平置き紙幣ＢＬ１の存在を正しく認識し、さらに外側シャッタ５Ａ及び内側シャッタ３６を開放することにより、利用者に取り出させ、或いは正常姿勢で再投入させることができる。
【００７６】
また検知部５０は、内側シャッタ３６にプリズム５３を取り付け、筐体３０内に発光素子５１を設けた。このため入出金部１２は、例えば内側シャッタ３６に発光素子５１を取り付ける場合と比較して、前後方向へ移動する内側シャッタ３６に取り付けられる発光素子５１に対する複雑な配線を不要として軽量化でき、アクチュエータやスライド機構の小型化や簡素化、並びに低消費電力化を図ることができる。
【００７７】
さらに検知部５０は、底板３１の孔部３１Ｈ２と受光素子５５との間に光通路５４を配置したため、受光素子５５の上面に埃や細かい異物が堆積することによる受光性能の低下を防止できる。また検知部５０は、光通路５４の上面５４Ｔを当該底板３１の上面の近傍に位置させたため、仮に上面５４Ｔに埃等が堆積したとしても、容易に取り除くことができる。そのうえ検知部５０は、光通路５４の上面５４Ｔを、底板３１の上面よりも低い位置に配置したため、収容空間１２Ｓに収容された紙幣や異物が上面５４Ｔに直接当接する頻度を大幅に低減でき、当該上面５４Ｔが傷ついて検知光Ｌ１の透過率が低下することを良好に回避できる。
【００７８】
また検知部５０は、異物収容器３７の下方では無く、当該異物収容器３７の後側に光通路５４を配置した。このため入出金部１２は、異物収容器３７内に収容されている異物により検知光Ｌ１を遮断させることなく、紙幣制御部１１において検知光Ｌ１の検知結果を基に水平置き紙幣ＢＬ１の有無を正しく判断させることができる。
【００７９】
さらに検知部５０は、内側シャッタ３６に対し、基部３６Ａの下面であってリブ３６Ｃ同士の間にプリズム５３を取り付けた。また検知部５０は、プリズム５３の下面をリブ３６Ｃの下面よりも上側に位置させた。これにより入出金部１２は、例えば集積部３９から収容空間１２Ｓ内へ紙幣を放出する際に、放出された紙幣が内側シャッタ３６の下面に当接したとしても、これをリブ３６Ｃに当接させるため、紙幣がプリズム５３に当接することによる当該紙幣や当該プリズム５３の損傷を回避できる。
【００８０】
以上の構成によれば、第１の実施の形態による現金自動預払機１の紙幣入出金機１０は、入出金部１２に検知部５０を設け、収容空間１２Ｓ内で検知光Ｌ１をほぼ上下方向に沿って進行させるようにした。これにより紙幣入出金機１０の紙幣制御部１１は、水平置き紙幣ＢＬ１の存在を検知でき、その検知結果に応じて外側シャッタ５Ａ及び内側シャッタ３６を開放させて当該水平置き紙幣ＢＬ１を取り出させ、或いは正しい姿勢で収容空間１２Ｓ内へ再投入させることができる。
【００８１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０は、第１の実施の形態による紙幣入出金機１０と比較して、入出金部１２に代わる入出金部１１２を有する点において相違するものの、他の点については同様に構成されている。
【００８２】
入出金部１１２は、図３の一部と対応する図８に示すように、底板３１、ビルプレス３３及び検知部５０に代わる底板１３１、ビルプレス１３３及び検知部１５０を有する点において相違するものの、他の点については同様に構成されている。
【００８３】
検知部１５０は、第１の実施の形態による検知部５０と比較して、光通路５４及び受光素子５５の位置が後方に移されており、接客位置にあるビルプレス１３３のほぼ真下に光通路５４が配置されている。これに伴いビルプレス１３３は、図９に示すように、後面の下端近傍における左右のほぼ中心に、検知光Ｌ１を通過させるための切欠部１３３Ａが形成されている。
【００８４】
また検知部１５０は、第１の実施の形態におけるプリズム５３に代えて、プリズム１５３が設けられている。このプリズム１５３は、後面５３Ｒに代わる後面１５３Ｒを有している。後面１５３Ｒは、光通路５４及び受光素子５５の位置が第１の実施の形態と異なることに応じて、傾斜角度が後面５３Ｒと異なっている。
【００８５】
かかる構成により入出金部１１２は、第１の実施の形態と同様、収容空間１２Ｓ内で検知光Ｌ１をほぼ上下方向に沿って進行させることができ、且つ水平置き紙幣ＢＬ１により検知光Ｌ１を遮断させることができる。このため紙幣制御部１１は、やはり第１の実施の形態と同様、検知部１５０の検知結果を利用することにより、水平置き紙幣ＢＬ１の存在を正しく検知できる。
【００８６】
特に検知部１５０は、接客位置にあるビルプレス１３３のほぼ真下に光通路５４を配置したことにより、投入された紙幣や異物により上面５４Ｔが傷つけられる可能性を、第１の実施の形態よりも大幅に低減できる。
【００８７】
その他の点においても、入出金部１１２は、第１の実施の形態による入出金部１２と同様の作用効果を奏し得る。
【００８８】
以上の構成によれば、第２の実施の形態による現金自動預払機１０１の紙幣入出金機１１０は、入出金部１１２に検知部１５０を設け、収容空間１２Ｓ内で検知光Ｌ１をほぼ上下方向に沿って進行させるようにし、且つ接客位置にあるビルプレス１３３のほぼ真下に光通路５４を配置した。このため入出金部１１２は、紙幣や異物により光通路５４の上面に傷が形成されて検知光Ｌ１の透過率が低減し、当該検知光Ｌ１を正しく検知できなくなる危険性を大幅に低減できる。これにより紙幣入出金機１１０の紙幣制御部１１は、水平置き紙幣ＢＬ１の存在を精度良く検知できる。
【００８９】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０は、第１の実施の形態による紙幣入出金機１０と比較して、入出金部１２に代わる入出金部２１２を有する点において相違するものの、他の点については同様に構成されている。
【００９０】
入出金部２１２は、図３と対応する図１０に示すように、第１の実施の形態による入出金部１２と比較して、検知部５０に代わる検知部２５０を有する点において相違するものの、他の点については同様に構成されている。
【００９１】
検知部２５０は、検知部５０と比較して、プリズム５３に代わるプリズム２５３が外側シャッタ５Ａに取り付けられている点において相違し、またこれに伴い発光素子５１及び光通路５２の水平方向に対する傾斜角度が相違している。プリズム２５３は、全体として、外側シャッタ５Ａの下面に沿った方向を長手方向とする角柱状に形成されており、この長手方向と直交する方向に対して後面２５３Ｒを傾斜させている。
【００９２】
かかる構成により入出金部２１２は、外側シャッタ５Ａが閉塞され、且つ内側シャッタ３６が開放された状態において、発光素子５１から検知光Ｌ１が発光されると、これを光通路５２により後ろ斜め上方へ進行させ、プリズム２５３の前面に入射させる。プリズム２５３は、この検知光Ｌ１を長手方向に沿って後ろ斜め上方へ進行させ、後面２５３Ｒにおいて反射させ、下面の後端近傍から下方へ向けて出射させる。これにより検知光Ｌ１は、収容空間１２Ｓ内をほぼ上下方向に沿って進行する。その後、検知光Ｌ１は、第１の実施の形態と同様、光通路５４を通過し、受光素子５５により受光される。
【００９３】
このため紙幣制御部１１は、検知光Ｌ１の検知結果を基に、図３に示した水平置き紙幣ＢＬ１に加えて、例えば図１０に示した紙幣ＢＬ２のように、比較的高い箇所において収容空間１２Ｓ内に正しく収容されていない紙幣についても、その存在を検知することができる。
【００９４】
特に紙幣制御部１１は、外側シャッタ５Ａを閉塞した時点で検知光Ｌ１の光路を形成できるため、内側シャッタ３６が閉塞される前の段階で、水平置き紙幣ＢＬ１や紙幣ＢＬ２を検知することができる。特に紙幣ＢＬ２は、内側シャッタ３６を閉塞する際の進行経路上に位置しており、内側シャッタ３６の閉塞により損傷してしまうおそれがある。そこで紙幣制御部１１は、この紙幣ＢＬ２の存在を検知した場合、外側シャッタ５Ａを開放することにより、利用者にこの紙幣ＢＬ２の取り出しや再投入を促すことができ、その損傷を未然に防ぐことができる。
【００９５】
その他の点においても、入出金部１１２は、第１の実施の形態による入出金部１２と同様の作用効果を奏し得る。
【００９６】
以上の構成によれば、第３の実施の形態による現金自動預払機２０１の紙幣入出金機２１０は、入出金部２１２に検知部２５０を設け、外側シャッタ５Ａの下面にプリズム２５３を取り付け、収容空間１２Ｓ内で検知光Ｌ１をほぼ上下方向に沿って進行させるようにした。これにより紙幣入出金機２１０の紙幣制御部１１は、水平置き紙幣ＢＬ１や紙幣ＢＬ２の存在を検知でき、その検知結果に応じて外側シャッタ５Ａを開放させて当該水平置き紙幣ＢＬ１や紙幣ＢＬ２を取り出させ、或いは正しい姿勢で収容空間１２Ｓ内へ再投入させることができる。
【００９７】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０は、第１の実施の形態による紙幣入出金機１０と比較して、入出金部１２に代わる入出金部３１２を有する点において相違するものの、他の点については同様に構成されている。
【００９８】
入出金部３１２は、図３の一部と対応する図１１（Ａ）に示すように、第１の実施の形態による入出金部１２と比較して、検知部５０に代わる検知部３５０を有する点において相違するものの、他の点については同様に構成されている。
【００９９】
検知部３５０は、検知部５０と比較して、光通路５２、プリズム５３及び光通路５４に代わる光通路３５２、プリズム３５３及びプリズム３５６並びに光通路３５４を有する点において相違し、また発光素子５１及び受光素子５５の取付位置や向きが相違している。
【０１００】
発光素子５１は、収容空間１２Ｓの後側上寄りに配置されており、前斜め上方へ向けて検知光を発光する。この発光素子５１の前側には、光通路３５２が配置されている。光通路３５２は、前後方向を長手方向とする角柱状に形成されており、後面から入射された検知光を前面から出射させる。
【０１０１】
プリズム３５３は、左右方向から見て三角形状に形成されており、内側シャッタ３６における下面の後端近傍に設けられている。プリズム３５３の下面３５３Ｒは、水平方向に対して後側が持ち上げられるように傾斜しており、後ろ斜め下方から進行してくる検知光を反射し、検知光Ｌ１として前斜め下方へ進行させる。これにより検知光Ｌ１は、収容空間１２Ｓ内でほぼ上下方向に沿って進行する。
【０１０２】
光通路３５４は、底板３１の下方であって異物収容器３７の前方に配置されており、概ね上下方向を長手方向とする角柱状に形成されているものの、上端に対し下端を前寄りに位置させるように傾斜している。光通路３５４の上面３５４Ｔは、接客位置にあるプールガイド３２の後面よりも後方に位置している。この光通路３５４は、第１の実施の形態による光通路５４と同様、上面３５４Ｔから入射する検知光Ｌ１を下方へ進行させ、下面から出射させる。受光素子５５は、第１の実施の形態と同様、上面に入射される検知光Ｌ１を受光し、当該検知光を受光したか否かを表す検知信号を生成して紙幣制御部１１へ送信する。
【０１０３】
ところでプリズム３５３は、内側シャッタ３６が閉塞状態にあるときに、光通路３５２から出射された検知光を反射して光通路３５４の上面３５４Ｔへ導くように、その取付位置や角度等が調整されている。
【０１０４】
これに加えて検知部３５０には、プリズム３５３と同様の光学特性を有するプリズム３５６が設けられている。プリズム３５６は、内側シャッタ３６の下面における前端近傍に取り付けられており、図１１（Ｂ）に示すように、当該内側シャッタ３６が開放状態にあるときに、光通路３５２から出射された検知光を反射して光通路３５４の上面３５４Ｔへ導くように、その取付位置や角度等が調整されている。
【０１０５】
かかる構成により紙幣制御部１１は、入出金部３１２において内側シャッタ３６が閉塞状態及び開放状態の何れであっても、検知光Ｌ１の受光結果を基に、水平置き紙幣ＢＬ１の有無を判断することができる。
【０１０６】
さらに紙幣制御部１１は、例えば内側シャッタ３６を閉塞した状態で水平置き紙幣ＢＬ１があると判断した場合、当該内側シャッタ３６を開放して利用者にこの水平置き紙幣ＢＬ１の取り出しを促す。このとき紙幣制御部１１は、プリズム３５６を利用して検知光Ｌ１を収容空間１２Ｓ内へ進行させ、その検知結果を監視することにより、水平置き紙幣ＢＬ１が取り出されたか否かを、第１の実施の形態における検知部４３を利用した場合のような間接的な判断ではなく、直接的に判断することができる。
【０１０７】
その他の点においても、入出金部３１２は、第１の実施の形態による入出金部１２と同様の作用効果を奏し得る。
【０１０８】
以上の構成によれば、第４の実施の形態による現金自動預払機３０１の紙幣入出金機３１０は、入出金部３１２に検知部３５０を設け、プリズム３５３及び３５６を内側シャッタ３６の下面における後端近傍及び前端近傍にそれぞれ取り付けた。このため入出金部１１２は、内側シャッタ３６が閉塞状態及び開放状態の何れであっても、検知光Ｌ１を収容空間１２Ｓ内へ進行させることができるので、水平置き紙幣ＢＬ１の有無や取り出されたか否かを高精度に検知できる。
【０１０９】
［５．他の実施の形態］
なお上述した第１の実施の形態においては、収容空間１２Ｓの前方に発光素子５１を配置すると共に、下方に受光素子５５を配置する場合について述べた。しかしながら本発明はこれに限らず、例えば両者の位置を入れ替えても良い。要は、収容空間１２Ｓ内で検知光Ｌ１をほぼ上下方向に沿って進行させることができれば良い。第２〜第４の実施の形態についても同様である。
【０１１０】
或いは、例えば図１２に示す入出金部４１２のように、検知部５０と対応する検知部４３０において、発光素子５１及び受光素子５５を何れも収容空間１２Ｓの下方に、左右に並べて配置しても良い。この場合、光通路５４と同様の光通路５２を収容空間１２Ｓの下方における当該光通路５４の右側に配置し、プリズム５３に代わるプリズム４５３を内側シャッタ３６の下面に取り付ければ良い。このプリズム４５３は、図１３（Ａ）及び（Ｂ）に示すように、下側の左右２箇所に形成された左下面４５３Ａ及び４５３Ｂと、上側の左右２箇所に形成された傾斜面４５３Ｒ１及び４５３Ｒ２とを有している。
【０１１１】
この入出金部４１２は、発光素子５１から出射された検知光を光通路４５２経由で収容空間１２Ｓ内へ検知光Ｌ１として進行させ、プリズム４５３の左下面４５３Ａへ入射させる。プリズム４５３は、左下面４５３Ａに入射された検知光を内部で上方へ進行させ、傾斜面４５３Ｒ１及び４５３Ｒ２において順次反射させて下方へ進行させ、右下面４５３Ｂから検知光Ｌ２として出射させる。検知光Ｌ２は、収容空間１２Ｓ内における検知光Ｌ１の経路よりも右側を下方へ進行し、光通路５４を介して受光素子５５により検知される。
【０１１２】
かかる構成により、受光素子５５から検知信号を取得する紙幣制御部１１は、収容空間１２Ｓ内において検知光Ｌ１及びＬ２のうち少なくとも一方が遮断されることで、水平置き紙幣ＢＬ１を検知することができる。すなわち検知部４３０は、検知部５０よりも水平置き紙幣ＢＬ１の検知精度を高めることができる。
【０１１３】
また上述した第１の実施の形態においては、光通路５４及び受光素子５５を異物収容器３７の後方に配置する場合について述べた。しかしながら本発明はこれに限らず、例えば図１４に示す入出金部５１２の検知部５５０のように、異物収容器３７の前方に光通路５５４及び受光素子５５を配置しても良い。この場合、検知光Ｌ１の光路に応じてプリズム５５３における傾斜面５５３Ｒの傾斜角度を適切に定めれば良い。
【０１１４】
さらに上述した第１の実施の形態においては、収容空間１２Ｓ内において、底板３１に対する垂直方向からやや傾斜させるように、具体的には上側が前方へ傾くように検知光Ｌ１を進行させる場合について述べた。しかしながら本発明はこれに限らず、図１４に示したように、底板３１に対しほぼ垂直に検知光Ｌ１を進行させても良い。要は、検知光Ｌ１が収容空間１２Ｓ内において概ね上下方向に沿って進行することにより、水平置き紙幣ＢＬ１の有無を検知できれば良い。第２〜第４の実施の形態についても同様である。
【０１１５】
さらに上述した第１の実施の形態においては、検知部５０に１個の発光素子５１及び１個の受光素子５５を設け、収容空間１２Ｓ内に１本の検知光Ｌ１を進行させる場合について述べた。しかしながら本発明はこれに限らず、例えば図１５に示す入出金部６１２の検知部６５０のように、発光素子アレイ６５１および受光素子６５５を用いても良い。
【０１１６】
発光素子アレイ６５１は、複数の発光素子が前後方向に沿って直線状に配置されており、右側の側板３５（図４）内に埋め込むように設置されている。受光素子６５５は、複数の受光素子が左右方向に沿って直線状に配置されたラインセンサであり、収容空間１２Ｓの下方に配置されている。この場合、例えば反射面を有する複数のミラー６５３を、内側シャッタ３６の下面における各検知光と対応する箇所にそれぞれ適切な角度で取り付けることで、収容空間１２Ｓ内に複数本の検知光Ｌ１を進行させることができる。これにより検知部６５０は、水平置き紙幣ＢＬ１の検知精度を格段に高めることができる。
【０１１７】
さらに上述した第１の実施の形態においては、内側シャッタ３６の下面にプリズム５３を取り付けることにより、検知光の進行方向を変換する場合について述べた。しかしながら本発明はこれに限らず、例えばミラー等の種々の光学部品により検知光の進行方向を変換しても良い。或いは、内側シャッタ３６そのものを、光透過性を有する材料により構成し、その内部に光の反射面を適宜形成することにより、当該内側シャッタ３６内で検知光を進行させると共にその進行方向を変換しても良い。第２〜第４の実施の形態についても同様である。
【０１１８】
さらに上述した第１の実施の形態においては、検知光の光路に光通路５２及び５４を配置することにより、当該検知光を通過させる一方で埃や異物を遮断する場合について述べた。しかしながら本発明はこれに限らず、例えば光通路５２を省略し、何も無い空間内に検知光を進行させるようにしても良い。第２〜第４の実施の形態についても同様である。
【０１１９】
さらに上述した第１の実施の形態においては、光通路５４の上面５４Ｔを収容空間１２Ｓ内に露出させる場合について述べた。この場合、仮に上面５４Ｔに異物等が堆積したときには、例えば保守作業員に清掃させる必要があった。しかしながら本発明はこれに限らず、例えばビルプレス３３の下面に清掃部材を取り付け、当該ビルプレス３３が前後方向へ移動する際に、この清掃部材が上面５４Ｔを摺動して清掃するようにしても良い。第２〜第４の実施の形態についても同様である。
【０１２０】
さらに上述した第１の実施の形態においては、左右方向に関し、入出孔３０Ｈのほぼ中央に検知部５０の各部品を配置し、且つ前後方向に関し、プリズム５３の後面５３Ｒを入出孔３０Ｈのほぼ中央に配置する場合について述べた。しかしながら本発明はこれに限らず、例えば収容空間１２Ｓの左右に偏った箇所に検知部５０の各部品を配置しても良い。この場合、要は紙幣入出金機１０により取り扱う紙幣のうち最も小さいものが水平置き紙幣ＢＬ１となった場合に、この水平置き紙幣ＢＬ１により検知光Ｌ１を遮らせることができれば良い。第２〜第４の実施の形態についても同様である。
【０１２１】
さらに上述した第１の実施の形態においては、利用者との間で紙幣を介した取引処理を行う現金自動預払機１の紙幣入出金機１０に組み込む入出金部１２に本発明を適用した場合について述べた。しかしながら本発明はこれに限らず、例えば各種金券や証券、或いは入場券や葉書等、紙葉状の媒体を利用者との間で授受する種々の装置に適用しても良い。
【０１２２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２３】
さらに上述した第１の実施の形態においては、収容部としての底板３１、プールガイド３２及びビルプレス３３、並びに側板３４及び３５と、開閉部としての内側シャッタ３６と、第１光学部としての受光素子５５と、検知光通過部としての光通路５４と、第２光学部としての発光素子５１と、導光部としてのプリズム５３とによって媒体収容装置としての入出金部１２を構成する場合について述べた。しかしながら本発明はこれに限らず、その他種々の構成でなる収容部と、開閉部と、第１光学部と、検知光通過部と、第２光学部と、導光部とによって媒体収容装置を構成しても良い。
【０１２４】
さらに上述した第１の実施の形態においては、収容部としての底板３１、プールガイド３２及びビルプレス３３、並びに側板３４及び３５と、開閉部としての内側シャッタ３６と、第１光学部としての受光素子５５と、検知光通過部としての光通路５４と、第２光学部としての発光素子５１と、導光部としてのプリズム５３と、制御部としての紙幣制御部１１とによって媒体取引装置としての現金自動預払機１を構成する場合について述べた。しかしながら本発明はこれに限らず、その他種々の構成でなる収容部と、開閉部と、第１光学部と、検知光通過部と、第２光学部と、導光部と、制御部とによって媒体取引装置を構成しても良い。
【産業上の利用可能性】
【０１２５】
本発明は、利用者との間で紙幣のような紙葉状の媒体を授受する種々の装置でも利用できる。
【符号の説明】
【０１２６】
１、１０１、２０１、３０１……現金自動預払機、５……入出金口、５Ａ……外側シャッタ、１０、１１０、２１０、３１０……紙幣入出金機、１１……紙幣制御部、１２、１１２、２１２、３１２……入出金部、１２Ｓ……収容空間、３０……筐体、３０Ｈ……入出孔、３１、１３１……底板、３１Ｈ……孔部、３１Ｈ２……孔部、３２……プールガイド、３３、１３３……ビルプレス、３４、３５……側板、３６……内側シャッタ、３６Ａ……基部、３６Ｂ、３６Ｃ……リブ、３７……異物収容器、３８……分離部、３９……集積部、４１、４２、４３、４４、４５、５０、１５０、２５０、３５０……検知部、５１……発光素子、５２、５４、３５２、３５４……光通路、５３、１５３、２５３、３５３、３５６……プリズム、５３Ｒ、１５３Ｒ、２５３Ｒ……後面、５４Ｔ、３５４Ｔ……上面、５５……受光素子、１３３Ａ……切欠部、１５３Ｒ……後面、３５３Ｒ……下面、ＢＬ１……水平置き紙幣、ＢＬ２……紙幣、Ｌ１、Ｌ２……検知光。
【図１】
0006439371.tif 000002
【図２】
0006439371.tif 000003
【図３】
0006439371.tif 000004
【図４】
0006439371.tif 000005
【図５】
0006439371.tif 000006
【図６】
0006439371.tif 000007
【図７】
0006439371.tif 000008
【図８】
0006439371.tif 000009
【図９】
0006439371.tif 000010
【図１０】
0006439371.tif 000011
【図１１】
0006439371.tif 000012
【図１２】
0006439371.tif 000013
【図１３】
0006439371.tif 000014
【図１４】
0006439371.tif 000015
【図１５】
0006439371.tif 000016